(57)【要約】【課題】  ヒンジ軸が不正に操作されることを防ぎ、可動扉の着脱時におけるヒンジ軸の操作が煩雑になることを防ぐ。【解決手段】  ヒンジ軸となる金属ピンは、可動扉の背面側に突出する第２曲折部３３ｄを有している。第２曲折部３３ｄは、可動扉に設けられた開口３７を介して操作される。開口３７には金属ピンを引き抜く際に下方向の操作を妨げる障害部４４が設けられている。金属ピンを引き抜くには第２曲折部３３ｄをクランク状に操作し、障害部４４を回避する。第２曲折部３３ｄを解放すると、バネの力により金属ピンが上方向に引っ張られて第２曲折部３３ｄがガイド部４７を摺動し、金属ピンが軸受け穴に差し込まれる。【選択図】        図５
2005168718.tif 000002
【特許請求の範囲】
【請求項１】
遊技媒体を供給して遊技を行う遊技領域が設けられた遊技機本体に、前記遊技領域を視認可能にする窓部を備えた可動扉を回動自在に支持する遊技機のヒンジ機構において、
前記遊技機本体及び前記可動扉の何れか一方に軸受け穴が設けられ、その他方に該軸受け穴に挿入されるヒンジ軸及び該ヒンジ軸を保持する保持部材が設けられており、
前記ヒンジ軸は、前記軸受け穴に向かって突出する突出位置と前記軸受け穴から退避する退避位置との間で軸方向に移動自在な主軸部と、前記主軸部を軸方向に移動する第１操作及び前記主軸部の軸を中心に回動する第２操作がなされるレバー部とからなり、
前記レバー部は、前記主軸部と略直交する方向に曲折した第１曲折部と、さらに該第１曲折部と略直交する方向に曲折した第２曲折部とからなり、該第２曲折部を、前記保持部材が設けられた面に形成された開口からその反対側へ貫通させて前記第１操作及び第２操作をさせるものであり、
前記開口は、貫通させた前記第２曲折部の前記軸方向の移動を規制して前記突出位置と退避位置との移動を規制する第１開口部と、該第１開口部と連なり、前記主軸部の軸を中心に回動させることで該第２曲折部の貫通状態を変位させ前記退避位置への移動の規制を解除する第２開口部とからなることを特徴とする遊技機のヒンジ機構。
【請求項２】
前記ヒンジ軸は、前記保持部材に設けられる付勢部材によって前記主軸部が前記突出位置に向けて付勢された状態で保持されており、
前記主軸部が前記退避位置にある時に、前記付勢部材の付勢力を受けて前記開口に設けた前記第１開口部及び第２開口部とが連接する部分に設けられる斜辺によって前記レバー部がガイドされ、前記主軸部を前記突出位置に変位させることを特徴とする請求項１記載の遊技機のヒンジ機構。
【発明の詳細な説明】
【技術分野】
【０００１】
本発明は、遊技領域を視認可能にする窓部を備えた可動扉を遊技機本体に対して回動自在に支持する遊技機のヒンジ機構に関する
【背景技術】
【０００２】
遊技場に設置される遊技機として、例えば弾球遊技機は、遊技球の打ち出される遊技領域が設けられた遊技盤と、遊技盤が組み込まれる筐体からなる遊技機本体と、遊技機本体の前面を覆う可動扉とから構成されている。可動扉は遊技領域を外部に露呈させる透明なガラス窓を有し、遊技者がガラス窓を通して遊技領域を落下する遊技球の動きを観察できる。可動扉は、遊技機本体に回動自在に支持され、閉じられた状態では施錠装置によってロックされる。また、遊技機の内部で発生した故障の修理等を行うときには、施錠を解除した後に可動扉を開放することができる。
【０００３】
このような遊技機では、新規製品の組み立て又は遊技場から撤去された遊技機を解体することに伴って、ガラス扉の着脱作業が容易に行えるようにそのヒンジ機構が工夫されている。このヒンジ機構には、例えばガラス扉にヒンジ軸（ピボット）として金属製のピンがスライド可能に設けられている。この金属ピンは、例えばＬ字状に曲げられて主軸部とレバー部とに分けられており、ガラス扉を取り外す際に作業者等がガラス扉の背面に露呈されるレバー部をスライド操作することで主軸部を移動させ、筐体に設けられた軸受け穴に対し主軸部を挿入したり引き抜くことができるようにしている。このヒンジ機構を備えた遊技機は、筐体とガラス扉との間に生じる隙間を小さくでき、この隙間から遊技領域にピアノ線をはじめとするワイヤ等を挿入して遊技球を誘導する等の犯罪行為を防止できる利点がある。
【発明の開示】
【発明が解決しようとする課題】
【０００４】
しかしながら、ワイヤ等が遊技領域に届きにくい遊技機に対しては、遊技機本体とガラス扉との隙間から先端に輪を作ったワイヤを挿入し、これを金属ピンのレバー部に引っ掛けて金属ピンを外部からスライド操作し、金属ピンを軸受け穴から引き抜くように移動させてガラス扉を直接取り外すという犯罪行為が行われることがある。これは、従来のヒンジ機構では上記レバーを鉛直下方向にスライドさせるだけの単調な操作のみで金属ピンを引き抜けることが原因となっている。また、この犯罪行為を防止するためにレバー部の操作を複雑にしたり保護カバーを設けたりすると、可動扉の組み立てや解体時における面倒さが増したり部品点数が増加したり、作業の簡便性が損なわれるという問題がある。
【０００５】
本発明は、上記問題点を考慮してなされたもので、金属ピンを引き抜くための操作を単調にすることなく、可動扉の着脱作業の簡便性を損なうことがないようにした防犯性の高い遊技機のヒンジ機構を提供することを目的とする。
【課題を解決するための手段】
【０００６】
上記目的を達成するために、本発明は、遊技媒体を供給して遊技を行う遊技領域が設けられた遊技機本体に、前記遊技領域を視認可能にする窓部を備えた可動扉を回動自在に支持する遊技機のヒンジ機構において、前記遊技機本体及び前記可動扉の何れか一方に軸受け穴が設けられ、その他方に該軸受け穴に挿入されるヒンジ軸及び該ヒンジ軸を保持する保持部材が設けられており、前記ヒンジ軸は、前記軸受け穴に向かって突出する突出位置と前記軸受け穴から退避する退避位置との間で軸方向に移動自在な主軸部と、前記主軸部を軸方向に移動する第１操作及び前記主軸部の軸を中心に回動する第２操作がなされるレバー部とからなり、前記レバー部が前記主軸部と略直交する方向に曲折させる第１曲折部と、さらに該第１曲折部と略直交する方向に曲折させる第２曲折部とからなり、該第２曲折部を、前記保持部材が設けられた面に形成された開口からその反対側へ貫通させて前記第１操作及び第２操作をさせるものであり、前記開口は、貫通させた前記第２曲折部の前記軸方向の移動を規制して前記突出位置と退避位置との移動を規制する第１開口部と、該第１開口部と連なり、前記主軸部の軸を中心に回動させることで該第２曲折部の貫通状態を変位させ前記退避位置への移動の規制を解除する第２開口部とからなることを特徴とするものである。
【０００７】
また、前記ヒンジ軸は、前記保持部材に設けられる付勢部材によって前記主軸部が前記突出位置に向けて付勢された状態で保持されており、前記主軸部が前記退避位置にある時に、前記付勢部材の付勢力を受けて前記開口に設けた前記第１開口部及び第２開口部とが連接する部分に設けられる斜辺によって前記レバー部がガイドされ、前記主軸部を前記突出位置に変位させることを特徴とする。
【発明の効果】
【０００８】
本発明によれば、ヒンジ軸を軸受け穴から引き抜く際に、軸方向に沿ってレバー部を操作する途中にこれを回動する操作が必要となり、可動扉と遊技機本体との間の隙間から挿入されたワイヤ等を単純に一方向へスライドさせてもヒンジ軸を引き抜くことができなくなる。可動扉を閉じたままの状態では、レバー部に対してワイヤ等を用いて軸方向に平行な操作と軸方向を中心に回動する操作の２通りの操作を外部から加えることは困難であることから、可動扉を取り外す犯罪行為を防止し、防犯性を高める効果が得られる。ここで、レバー部が主軸部から曲折した第１曲折部と第１曲折部からさらに曲折した第２曲折部とを有していることにより、回動の中心となる主軸部からレバー部の先端までの距離が大きくなり、レバー部が開口内を軸方向と垂直な方向に移動する距離に対してヒンジ軸の回動する角度が小さくなり、第２曲折部が極端に傾いて操作しにくくなることがなく、レバー部の先端が開口から抜けてヒンジ軸が脱落することもない。
【０００９】
また、付勢部材の付勢力によりヒンジ軸の主軸部は軸受け穴に差し込まれた状態が保たれ、主軸部が退避位置にある場合には上記付勢力を受けて変位するレバー部が斜形部を介して第２開口部から第１開口部へガイドされて主軸部は容易に退避位置から突出位置へ戻ることができ、可動扉の着脱時に作業者はヒンジ軸を引き抜く操作だけ行えばよく、作業の面倒さが増えることはない。
【発明を実施するための最良の形態】
【００１０】
図１において、弾球遊技機１０は、遊技機本体１１とガラス扉（可動扉）１２を備えるように構成されている。遊技機本体１１には、遊技盤１３が着脱自在に組み込まれている。ガラス扉１２は、遊技機本体１１に対して回動自在に取り付けられている。ガラス扉１２は透明板としてガラス板が嵌め込まれたガラス窓１４を有し、遊技者はガラス窓１４を通して遊技盤１３を視認可能である。遊技盤１３の前面には、遊技者の操作によって遊技球が打ち出される遊技領域が設けられている。遊技盤１３に設けられた遊技領域には、複数の障害釘や風車等の構造物、液晶表示装置１５、始動入賞口１６やアタッカ１７等が設けられている。なお、これらのものはいずれも公知であるので、その詳細については省略する。また、遊技盤１３の背面には、液晶表示装置１５を制御する回路等が設けられた基板やアタッカ１７を駆動するモータやそれらを作動させる制御装置等が組み付けられている。
【００１１】
遊技機本体１１の下部には、受け皿２０とハンドル２１が設けられている。受け皿２０には、遊技に使用する遊技球がセットされ、また、遊技を行って得られた賞球が払い出される。ハンドル２１は、遊技機本体１１の内部に設けられた球発射装置と連結されており、遊技球を打ち出す際に操作される。ハンドル２１を回動すると、回動した角度に応じた強さで遊技球が自動的に打ち出される。
【００１２】
図２において、遊技機本体１１は、遊技盤１３を保持する保持枠２５と、上述した受け皿２０等が設けられた本体基部とに分離自在である。また、遊技盤１３は保持枠２５から分離自在である。このような構造は、例えば遊技球の落下態様を変えるために遊技盤１３を他の遊技盤と交換して弾球遊技機１０の遊技内容を変更する時や、弾球遊技機１０の外観を変更する時に、最小限の部品交換で済むようにするためのものである。
【００１３】
ガラス扉１２は、保持枠２５によって回動自在に支持される。すなわち、保持枠２５が上記本体基部に取り付けられることにより、ガラス扉１２が遊技機本体１１に対して回動自在に支持される。ガラス扉１２は閉じられた状態で保持枠２５に固定され、遊技盤１３に外部から触れることができないように施錠される。一方、施錠を解除すると、ガラス扉１２を回動させて開放することができる。
【００１４】
図３において、ガラス扉１２は、扉本体２８と外装体２９とガラス板３０とからなる。外装体２９は、扉本体２８の前面と側面とを囲うように覆う形状を有し、扉本体２８に設けられるスピーカーや発光素子等の電気部品を保護する。ガラス板３０は、扉本体２８にその背面側から取り付けられ、ガラス扉１２が開放される向きと逆向きに回動する。ガラス板３０は、ガラス表面や周囲の縁を清掃するときに扉本体２８から容易に取り外すことができる。扉本体２８は、中央にガラス板３０が嵌め込まれる開口が設けられた枠体からなる。扉本体２８の前面には、その上端隅と下端隅に金具３１，３２が設けられている。扉本体２８の上端部にある金具３１には、金属ピン（ヒンジ軸）３３が保持されている。扉本体２８の下端隅に設けられた金具３２は、保持枠２５の下部に設けられる支軸（図示なし）と嵌合する。
【００１５】
図４において、金具３１は、扉本体２８の前面にビス３４によって固着されており、金属ピン３３が挿通された一対の折り曲げ片３１ａ，３１ｂが設けられている。金属ピン３３は、折り曲げ片３１ａ，３１ｂに挿通された主軸部３３ａと、主軸部３３ａに対して曲げられたレバー部３３ｂとを有する。折り曲げ片３１ａ，３１ｂの間には、付勢バネ３６が主軸部３３ａに挿通されている。主軸部３３ａには折り曲げ片３１ａの下位置にワッシャ状のリング部材（図示なし）が固定されており、これが主軸部３３ａの鍔となって付勢バネ３６が圧縮されたときの弾性力が金属ピン３３に伝達され、金属ピン３３が上方向に付勢されるようになっている。主軸部３３ａは折り曲げ片３１ａ，３１ｂにより上下方向に移動自在に保持され、且つ主軸部３３ａを中心として回動自在に保持されている。
【００１６】
金属ピン３３は、レバー部３３ｂを介して上下方向の操作が加えられ、主軸部３３ａが軸受け穴２５ａに向かって突出する位置と軸受け穴２５ａから退避する位置との間を軸方向にスライドする。レバー部３３ｂは、主軸部３３ａに対して略垂直に曲折した第１曲折部３３ｃと、第１曲折部３３ｃに対してさらに略垂直に曲折した第２曲折部３３ｄとからなる。主軸部３３ａと第２曲折部３３ｄは互いにねじれの位置関係にある。
【００１７】
扉本体２８には、金具３１の下方の位置に開口３７が設けられている。主軸部３３ａ及び第１曲折部３３ｃは扉本体２８の前面側に位置し、第２曲折部３３ｄは開口３７に入り込み、扉本体２８を貫通してその背面側に突出する。レバー部３３ｂの第２曲折部３３ｄは、開口３７を介して扉本体２８の背面側から操作される。開口３７は、主軸部３３ａが上下方向にスライド移動する範囲を規制し、例えば第２曲折部３３ｂを下方向に操作したときに誤って主軸部３３ａの先端が折り曲げ片３１ａから抜けることを防ぐ。
【００１８】
図５において、開口３７は、略長方形状の第１開口部３７ａと、略台形状の第２開口部３７ｂとからなる。主軸部３３ａが突出位置にあるときに第２曲折部３３ｄの上方向の操作を規制する上端縁部４０と、主軸部３３ａが退避位置にあるときに第２曲折部３３ｄの下方向の操作を規制する下端縁部４１とを有する。主軸部３３ａが突出位置にあるとき、付勢バネ３６は圧縮変形しており、可動扉１２が開閉されるたびにレバー部３３ｂが揺れ動かないように上端縁部４０に押し付けられている。第１右側縁部４２は上端縁部４０から軸方向に沿って鉛直下方向に延びており、第２曲折部３３ｄを第１右側縁部４２に接した状態で操作すれば第２曲折部３３ｄが軸方向にガイドされる。第１左側縁部４３は第１右側縁部４２との間隔が円柱状の第２曲折部３３ｄの直径とほぼ同じ大きさに決められ、主軸部３３ａが突出位置にあるときに第２曲折部３３ｄが回動することを規制する。
【００１９】
上端縁部４０の下方には第１右側縁部４２に対して垂直な水平方向（又は略垂直）に延びた障害部４４が設けられている。障害部４４は、少なくとも第２曲折部３３ｄの半径よりも長く形成されている。障害部４４は、突出位置にある主軸部３３ａに対して第２曲折部３３ｄが軸方向に操作されたとき、主軸部３３ａが軸受け穴２５ａから完全に抜け切らない位置でレバー部３３ｂの操作を遮る。第２右側縁部４５は障害部４４から鉛直下方向に設けられ、障害部４４と下端縁部４１との間に位置する。
【００２０】
下端縁部４１は上端縁部４０に対して斜め下方に位置する。第２左側縁部４６は、下端縁部４１から鉛直上方向に設けられている。第２左側縁部４６は、第１左側縁部４３に対して斜め下方に位置しており、第１左側縁部４３と第２左側縁部４６の間には軸方向に対して傾斜したガイド部（斜辺）４７が設けられている。ガイド部４７は下端縁部４１の上方に設けられ、主軸部３３ａの軸方向に対して傾斜している。
【００２１】
次に、ガラス扉１２を遊技機本体１１に組み付ける際の手順について説明する。扉本体２８に外装体２９とガラス板３０を取り付けてガラス扉１２を組み立て、扉本体２８の下端隅に設けられた金具３２に対して保持枠２５の下部に設けられた支軸（図示なし）を差し込む。次に可動扉１２の背面側から第２曲折部３３ｄを摘み、金属ピン３３を操作して主軸部３３ａを折り曲げ片３１ａの位置まで退避させる。
【００２２】
図５（ａ）に示すように、第２曲折部３３ｄは上端縁部４０に当接した位置から第１右側縁部４２に沿って鉛直下方向に操作される。第２曲折部３３ｄが障害部４４に当接する位置まで操作されると、障害部４４により第２曲折部３３ｄの鉛直下方向への操作が妨害される。このとき、主軸部３３ａは突出位置と退避位置の間の位置にあり、軸受け穴２５ａに主軸部３３ａを差し込むことはできない。第２曲折部３３ｄを左方向に移動させ、金属ピン３３が主軸部３３ａを中心に回動すると、第２曲折部３３ｄは障害部４４を回避して鉛直下方向の操作が可能となる。
【００２３】
第２曲折部３３ｄは上端縁部４０からクランク状に操作され、下端縁部４１に当接する位置まで移動すると、主軸部３３ａが軸受け穴２５ａにその先端を差し込むことが可能な退避位置まで退避する。このとき、可動扉１２の上部を保持枠２５の上部に宛がい、主軸部３３ａと軸受け穴２５ａの位置を合わせる。第２曲折部３３ｄを摘んでいた指を離すと、金属ピン３３は付勢バネ３６の力により上方向へ引っ張られる。
【００２４】
図５（ｂ）に示すように、第２曲折部３３ｄは、下端縁部４１からその上方に位置するガイド部４７に衝突する。第２曲折部３３ｄは、ガイド部４７を摺動して斜め上方向へ移動し、主軸部３３ａが退避位置から突出位置に向かって移動して軸受け穴２５ａに差し込まれる。第２曲折部３３ｄは、ガイド部４７を摺動する間に主軸部３３ａを退避位置に移動させるときとは逆方向に回動して、上端縁部４０に当接する位置まで移動する。このようにして、金属ピン３３の主軸部３３ａは保持枠２５の軸受け穴２５ａにしっかりと差し込まれ、可動扉１２が遊技機本体１１に回動自在に軸支される。なお、可動扉１２を取外す際には第２曲折部３３ｄを上述と同様に操作すればよい。
【００２５】
なお、上記実施形態では、ヒンジ軸として略直角に折り曲げられたＬ字形状の金属ピン３３が用いられているが、これに限られず、主軸部から略直角に突出したレバー部を有するヒンジ軸であれば本発明を等しく適用でき、ヒンジ軸の具体的な形状や材質等に限定されない。また、ヒンジ軸である金属ピンを遊技機本体に設け、軸受け穴をガラス扉に設けてもよく、ヒンジ軸は可動扉又は遊技機本体の上部だけでなく下部もしくは上部と下部の両方に設けてもよい。また、本発明は、弾球遊技機のように、遊技媒体として球を使用する遊技機に限られず、その他の形状の遊技媒体を使用する遊技機に適用できる。
【図面の簡単な説明】
【００２６】
【図１】弾球遊技機の外観斜視図である。
【図２】保持枠と遊技盤の斜視図である。
【図３】ガラス扉の分解斜視図である。
【図４】金属ピンの周辺の構造を示す斜視図である。
【図５】開口及びレバー部の動きを背面から見た正面図である。
【符号の説明】
【００２７】
１０  弾球遊技機
１１  遊技機本体
１２  ガラス扉
１３  遊技盤
１４  ガラス窓
２５  保持枠
２８  扉本体
３３  金属ピン
３３ａ  主軸部
３３ｂ  レバー部
３３ｃ  第１曲折部
３３ｄ  第２曲折部
３６  付勢バネ
３７  開口
４４  障害部
４７  ガイド部
【図１】
2005168718.tif 000003
【図２】
2005168718.tif 000004
【図３】
2005168718.tif 000005
【図４】
2005168718.tif 000006
【図５】
2005168718.tif 000007